(57)【特許請求の範囲】
【請求項１】
各パケットが、特定形式の情報を表すペイロードデータと、このペイロードデータによって表された上記特定形式の情報を識別するためのヘッダデータと、エラー訂正データとを含んで成る、多重化されたパケットのストリームとして編成されたデジタル信号の形式の、送信のために圧縮されたビデオ及びオーディオ情報を表す受信デジタル信号を処理するテレビジョンシステムにおける可聴メッセージ発生装置であって、
上記受信デジタル信号のストリームに応答し、それぞれのエラー訂正データに従って上記パケット中に生じるエラーを訂正してエラー訂正済みの多重化されたデータパケットのストリームを生成する手段と、
送信されたビデオ情報を表すペイロードデータを記憶するためのメモリ位置と送信されたオーディオ情報を表すペイロードデータを記憶するためのメモリ位置とを含むバッファメモリと、
上記エラー訂正済みのデータパケットのストリームに応答して、上記パケットに含まれるそれぞれのヘッダデータに従って上記バッファメモリの上記メモリ位置のそれぞれに上記パケットのペイロードデータを送る移送ユニットと、
ビデオ情報を表すペイロードデータを圧縮解除して、圧縮解除されたビデオ情報を表すデジタル信号を生成するビデオデコーダと、
上記圧縮解除されたビデオ情報を表す上記デジタル信号に応じた信号を画像再生装置に結合する手段と、
オーディオ情報を表すペイロードデータを圧縮解除して、圧縮解除されたオーディオ情報を表すデジタル信号を生成するオーディオデコーダと、
上記圧縮解除されたオーディオ情報を表す上記デジタル信号に応じた信号を音声再生装置に結合する手段と、
上記バッファメモリの上記メモリ位置に記憶されたペイロードデータをそれぞれのデコーダに結合するデータ母線と、
上記送信されたオーディオ情報と同じ態様で圧縮された可聴メッセージ情報を表す可聴メッセージデータを記憶するための制御メモリと、
上記制御メモリから上記可聴メッセージデータを上記バッファメモリの上記メモリ位置に選択的に送って上記送信されたオーディオ情報を表すペイロードデータを一時的に記憶し、その後上記可聴メッセージデータが上記オーディオデコーダに送られるようにする制御器と、
を備えてなる上記可聴メッセージ発生装置。
【発明の詳細な説明】
【０００１】
【産業上の利用分野】
この発明は、例えばトーン（信号音などの人工音）あるいは音声（ボイス）等によって操作指示及び／又は状態情報等の可聴メッセージを与えるための装置に関するものである。この発明は、特にデジタルテレビジョンシステムにおける使用に非常に適している。
【０００２】
【発明の背景】
自動車、写真用カメラ及びパーソナルコンピュータ等の消費者製品には、使用者に可聴メッセージを与える装置が設けられるようになってきた。このような装置は、可聴メッセージのデジタル表現を記憶するためのメモリとこのデジタル表現を対応するアナログ信号に変換するための専用デコーダを含んでいる。この専用デコーダとデコーダにオーディオメッセージのデジタル表現を送るために必要な接続構造とを消費者製品に用いると、その製品に余分なコストがかかり、製品の構造も複雑になってしまうため、その利点と比べても使用する意味がなくなってしまうことがある。このようなことは、特に、可聴性の使用者情報が音声による指示や状態表示で構成されている場合にあてはまる。
【０００３】
【発明の概要】
この発明は、トーンや音声等として可聴メッセージを与える装置は、余分なコストや複雑さを余り付加することなく、圧縮形式のビデオ及びオーディオ情報を表すデジタルパケットのストリームとして送信テレビジョン情報を受け取る形式のデジタルテレビジョンシステムに使用できるという認識にある程度立脚している。このようなシステムには、時に移送ユニットと呼ばれるパケット・デマルチプレクサが設けられており、このパケット・デマルチプレクサは、デジタルパケットをそのパケットに含まれているヘッダ情報に従ってそれぞれのデジタル信号処理部に送りだす。デジタル処理部は、それぞれのデジタルパケットを復号及び圧縮解除してデジタルワードのシーケンスを形成する。その後、このシーケンスはアナログ形式に変換される。このようなデジタルテレビジョンシステムでは、送信されたオーディオパケットが有するのと同じ圧縮形式で可聴メッセージのデジタル表現を記憶するメモリと可聴メッセージを与えることが望ましい場合にデジタル表現をパケット移送ユニットに選択的に送る制御器とを設ければ、可聴メッセージを与える装置を簡単に付加することが出来る。可聴メッセージのデジタル表現は、移送ユニットによって自動的にデジタルオーディオ信号処理部に送られる。デジタルオーディオ信号処理部は、可聴メッセージのデジタル表現を、送信されたオーディオパケットと同じように復号及び圧縮解除する。その結果、アナログ型の可聴メッセージが生成される。制御器は、テレビジョン受像機の他の部分を制御するマイクロプロセッサを含み、また、可聴性の使用者指示のデジタル表現を記憶するメモリはこのマイクロプロセッサと関連付けられたリードオンリメモリ（ＲＯＭ）の一部を含んでいることが望ましい。
【０００４】
特許請求の範囲に記載された事項と実施例との対応関係を、図面で使われている参照符号で示すと次の通りである。
（請求項１）  各パケットが、特定形式の情報を表すペイロードデータと、このペイロードデータによって表された上記特定形式の情報を識別するためのヘッダデータと、エラー訂正データとを含んで成る、多重化されたパケットのストリームとして編成されたデジタル信号の形式の、送信のために圧縮されたビデオ及びオーディオ情報を表す受信デジタル信号を処理するテレビジョンシステム（１５）における可聴メッセージ発生装置であって、
上記受信デジタル信号のストリームに応答し、それぞれのエラー訂正データに従って上記パケット中に生じるエラーを訂正してエラー訂正済みの多重化されたデータパケットのストリームを生成する手段（１５０５）と、
送信されたビデオ情報を表すペイロードデータを記憶するためのメモリ位置と送信されたオーディオ情報を表すペイロードデータを記憶するためのメモリ位置とを含むバッファメモリ（１５０９）と、
上記エラー訂正済みのデータパケットのストリームに応答して、上記パケットに含まれるそれぞれのヘッダデータに従って上記バッファメモリ（１５０９）の上記メモリ位置のそれぞれに上記パケットのペイロードデータを送る移送ユニット（１５０７）と、
ビデオ情報を表すペイロードデータを圧縮解除して、圧縮解除されたビデオ情報（Ｙ、Ｕ、Ｖ）を表すデジタル信号を生成するビデオデコーダ（１５１１）と、
上記圧縮解除されたビデオ情報（Ｙ、Ｕ、Ｖ）を表す上記デジタル信号に応じた信号を画像再生装置（１９）に結合する手段と、
オーディオ情報を表すペイロードデータを圧縮解除して、圧縮解除されたオーディオ情報（Ｌ、Ｒ）を表すデジタル信号を生成するオーディオデコーダ（１５１３）と、
上記圧縮解除されたオーディオ情報（Ｌ、Ｒ）を表す上記デジタル信号に応じた信号を音声再生装置（２１ａ、２１ｂ）に結合する手段と、
上記バッファメモリ（１５０９）の上記メモリ位置に記憶されたペイロードデータをそれぞれのデコーダ（１５１１、１５１３）に結合するデータ母線と、
上記送信されたオーディオ情報と同じ態様で圧縮された可聴メッセージ情報を表す可聴メッセージデータを記憶するための制御メモリ（１５２９）と、
上記制御メモリ（１５２９）から上記可聴メッセージデータを上記バッファメモリ（１５０９）の上記メモリ位置に選択的に送って上記送信されたオーディオ情報を表すペイロードデータを一時的に記憶し、その後上記可聴メッセージデータが上記オーディオデコーダ（１５１３）に送られるようにする制御器（１５２７）と、
を備えてなる上記可聴メッセージ発生装置。
【０００５】
【詳細な説明】
添付の図１に示した衛星テレビジョンシステムにおいては、付属の送信アンテナ３を有する送信機１がビデオ成分とオーディオ成分を含むテレビジョン信号を静止軌道にある衛星５に送信する。衛星５は送信機１により送信されたテレビジョン信号を受信し、これを地球に向けて再送信する。衛星５から送信されたテレビジョン信号はアンテナ構体即ち「屋外ユニット」７で受信される。このアンテナ構体７は、円盤状アンテナ９と周波数変換器１１を備えている。アンテナ９は衛星５から送信されたテレビジョン信号を周波数変換器１１に送り、周波数変換器１１は受信テレビジョン信号全ての周波数をそれぞれより低い周波数に変換する。周波数変換器１１は、全受信テレビジョン信号の周波数帯域を１つのブロックとして変換するため、「ブロック変換器」と呼ばれることが多い。
【０００６】
ブロック変換器１１で生成されたテレビジョン信号は、同軸ケーブル１３を介して衛星放送受信機１５に結合される。衛星放送受信機１５は屋内に設置されるため、「屋内ユニット」と呼ばれることがある。以下に詳細に説明するように、衛星放送受信機１５は受信テレビジョン信号の同調、復調及びその他の処理を行ってビデオ信号及びオーディオ信号を生成するが、このビデオ信号及びオーディオ信号はこれらが結合される従来形式のテレビジョン受像機１７による処理に適したフォーマット（ＮＴＳＣ方式、ＰＡＬ方式又はＳＥＣＡＭ方式）の信号である。テレビジョン受像機１７は、ビデオ信号に応答して表示スクリーン１９上に画像を生成し、オーディオ信号に応答してスピーカ２１ａ及び２１ｂにより可聴性の応答を生成する。
【０００７】
図１に示した衛星テレビジョンシステムは、テレビジョン情報を所定のデジタル圧縮標準方式に従って圧縮した形式で送信するデジタルテレビジョン衛星放送システムである。例えば、ＭＰＥＧのビデオ及びオーディオ圧縮標準方式が採用される。このＭＰＥＧビデオ・オーディオ圧縮標準方式は、動画像専門家グループ（Ｍｏｔｉｏｎ  Ｐｉｃｔｕｒｅｓ  Ｅｘｐｅｒｔ  Ｇｒｏｕｐ）により開発されたビデオ及びオーディオ情報の符号化表示に関する国際標準である。
【０００８】
さらに具体的にいえば、送信機１内で、アナログビデオ信号とアナログオーディオ信号がそれぞれデジタル信号に変換される。このデジタルビデオ信号及びデジタルオーディオ信号は、ＭＰＥＧビデオ・オーディオ圧縮符号化標準方式により圧縮され符号化されて、それぞれ、一連のデータパケット又はデータパケットのストリームにされる。ビデオ及びオーディオパケットは多重化（マルチプレクス）されて送信用のパケットのストリームにされる。この送信ストリームの各パケットには、データ又は「ペイロード」部分とこのパケットのデータ又は「ペイロード」部分によって表される情報の種類を識別するヘッダ部分とが含まれている。また、制御その他のデータに対応するパケットがこの送信ストリームに加えられていることもある。
【０００９】
送信径路内の雑音によるエラーの訂正をすることが出来るように、パケットには前進型エラー訂正（ＦＥＣ）データが加えられる。よく知られたビタビ（Ｖｉｔｅｒｂｉ）型及びリード−ソロモン（Ｒｅｅｄ−Ｓｏｌｏｍｏｎ）型の両方の前進型エラー訂正符号化法を採用できる。圧縮、符号化及びエラー訂正動作の結果得られるデジタル情報は、デジタル送信分野ではＱＰＳＫ（Ｑｕａｔｅｒｎａｒｙ  Ｐｈａｓｅ  Ｓｈｉｆｔ  Ｋｅｙｉｎｇ）変調として周知である態様で搬送波で変調される。
【００１０】
衛星放送受信機１５には、局部発振器及びミクサ（図示せず）を備え、アンテナ構体７から供給される複数の信号のうちから適当な搬送波信号を選択し、選択した搬送波の周波数をそれより低い周波数に変換して中間周波（ＩＦ）信号を生成する同調器１５０１が含まれている。ＩＦ信号はＱＰＳＫ復調器１５０３により復調され、復調デジタル信号が生成される。ＦＥＣデコーダ１５０５が、復調デジタル信号に含まれているエラー訂正データを復号し、このエラー訂正データに基づいてビデオ、オーディオ及びその他の情報を表す復調されたパケットの訂正を行ってエラー訂正されたデータパケットのストリームを生成する。ＦＥＣデコーダ１５０５は、例えば、ビタビ及びリード−ソロモン型エラー訂正符号化法が送信機１で採用されている場合には、ビタビ及びリード−ソロモン型エラー訂正アルゴリズムに従って動作する。同調器１５０１、ＱＰＳＫ復調器１５０３及びＦＥＣデコーダ１５０５は、メリーランド（Ｍａｒｙｌａｎｄ）州、ジャーマンタウン（Ｇｅｒｍａｎｔｏｗｎ）のヒューズ・ネットワーク・システムス社（Ｈｕｇｈｅｓ  Ｎｅｔｗｏｒｋ  Ｓｙｓｔｅｍｓ）或いはカリフォルニア（Ｃａｌｉｆｏｒｎｉａ）州、サンディエゴ（Ｓａｎ  Ｄｉｅｇｏ）のコムストリーム社（Ｃｏｍｓｔｒｅａｍ  Ｃｏｒｐ．）から入手できるユニットに含まれている。
【００１１】
移送ユニット１５０７は、ランダムアクセスメモリ（ＲＡＭ）１５０９の形式をとるバッファメモリと共働して、パケット中に含まれているヘッダ情報に従って、データ母線を介して、エラー訂正されたストリームのビデオパケットのペイロード部分をビデオデコーダ１５１１に送り、また、オーディオパケットのペイロード部分をオーディオデコーダ１５１３に送る。ＲＡＭ１５０９は、送信された信号のデータストリームのパケットを、それらが表す情報の種類に従ってそれぞれのメモリ位置に一時的に記憶するために使用される。移送ユニット１５０７は、エラー訂正されたストリームのデータパケットを分離（デマルチプレクス）し、パケットのペイロード部分をそれぞれのパケットのヘッダ部分に従ってそれぞれのメモリ位置に送る、バッファＲＡＭ１５０９に対するメモリ制御処理部となる。ＲＡＭ１５０９のビデオ及びオーディオ部の内容は、ビデオデコーダ１５１１及びオーディオデコーダ１５１３からの要求に応じて読み出され、これらのユニットのそれぞれに伝送される。移送ユニット１５０７とバッファＲＡＭ１５０９の詳細な構造については、この発明を理解するのに格別必要ではないが、例えば、デイス（Ｍ．Ｓ．Ｄｅｉｓｓ）氏による１９９４年４月２２日出願の米国特許出願第２３２７８９号「パケット・ビデオ信号逆移送システム（Ａ  Ｐａｃｋｅｔ  Ｖｉｄｅｏ  Ｓｉｇｎａｌ  Ｉｎｖｅｒｓｅ  Ｔｒａｎｓｐｏｒｔ  Ｓｙｓｔｅｍ）」に開示されている。
【００１２】
ビデオデコーダ１５１１は、ダイナミック・ランダムアクセスメモリ（ＤＲＡＭ）１５１５と共働してビデオパケットのペイロード部分の復号及び圧縮解除を行い、成分の形式でビデオ情報を表すデジタルワードのストリームまたはシーケンスを生成する。この成分は、例えば、ルミナンス（Ｙ）成分と２つの色差（Ｕ及びＶ）成分に相当する。ビデオ復号及び圧縮解除用集積回路（ＩＣ）は市販のものを使用できる。例えば、フランス国のＳＧＳトムソン社（ＳＧＳ  Ｔｈｏｍｓｏｎ）から、部品番号ＳＴ３２４０としてＭＰＥＧ方式の復号及び圧縮解除用ＩＣが市販されている。成分を表すデジタルワードのシーケンスはテレビジョン符号器１５１７に結合され、このテレビジョン符号器１５１７は、この成分を表すデジタルワードをＮＴＳＣ方式、ＰＡＬ方式又はＳＥＣＡＭ方式のような従来のテレビジョン標準方式のライン及びフィールドラスタ走査フォーマットに従ってクロミナンス（Ｃ）情報を表すデジタルワードのシーケンスとルミナンス（Ｙ）情報を表すデジタルワードのシーケンスとに変換する。ルミナンス表示デジタルワード及びクロミナンス表示デジタルワードは、デジタル−アナログ変換器（ＤＡＣ）１５１９のそれぞれの部分によってアナログルミナンス信号とアナログクロミナンス信号とに変換される。
【００１３】
オーディオデコーダ１５１３は、ダイナミック・ランダムアクセスメモリ（ＤＲＡＭ）１５２１と共働してオーディオパケットのペイロード部分を復号及び圧縮解除して左側（Ｌ）及び右側（Ｒ）オーディオ情報を表すデジタルワードのシーケンスを生成する。オーディオ復号及び圧縮解除用ＩＣは市販のものを使用できる。例えば、米国テキサス（Ｔｅｘａｓ）州のテキサス・インスツールメンツ社（Ｔｅｘａｓ  Ｉｎｓｔｒｕｍｅｎｔｓ）から部品番号ＴＭＳ３２０ＡＶ１１０としてＭＰＥＧ方式のオーディオ復号及び圧縮解除用ＩＣが市販されている。
オーディオ表示デジタルワードの左右の各シーケンスは、ＤＡＣ１５２３の各部分によってベースバンドのアナログ左側オーディオ信号及びアナログ右側オーディオ信号に変換される。図では２つのオーディオチャンネルのみが示されているが、実際には、「サラウンド・サウンド」再生用等の１つ又はそれ以上の付加的なオーディオチャンネルが設けられることが好ましい。
【００１４】
ベースバンドのアナログビデオ及びアナログオーディオ信号はそれぞれのベースバンド接続回路を介してテレビジョン受像機１７に結合されるが、これらの信号は変調器１５２５にも結合される。この変調器１５２５は、ＮＴＳＣ方式、ＰＡＬ方式又はＳＥＣＡＭ方式等の従来のテレビジョン標準方式に従ってアナログ信号を無線周波数（ＲＦ）搬送波に変調して、ベースバンド入力端子を持っていないテレビジョン受像機のアンテナ入力に結合する。
【００１５】
マイクロプロセッサ１５２７は、周波数選択制御データを同調器１５０１に供給して同調器１５０１の動作を制御し、使用者によって選択されたチャンネルの同調を行う。また、マイクロプロセッサ１５２７は移送ユニット１５０７と相互的に動作してパケットのペイロード部分の伝送に影響を及ぼす。さらに、マイクロプロセッサ１５２７は制御データを制御母線を介してビデオデコーダ１５１１とオーディオデコーダ１５１３とに供給する。マイクロプロセッサ１５２７は「リードオンリ」メモリ（ＲＯＭ）１５２９に記憶された制御プログラムに応答して動作する。
【００１６】
この発明のシステムには、トーンや音声等の形式で可聴メッセージを与える装置が含まれており、別目的用の既存の構造を兼用で使用できるという利点がある。以下に示す可聴メッセージを与える装置は、衛星放送受信機１５の構造をより複雑にし、従って、そのコストを増大させる特殊目的専用の装置を必要としないものである。
【００１７】
可聴メッセージは多くの形態で使用出来る。最も単純なものは、例えばアンテナ構体７の位置合わせ作業を補助するような場合に、使用者の行っている操作が適切であるか不適切であるかを知らせるような、所定のトーン、一連のトーンやトーン・バースト（「ブザー音」）を発生するというものである。もっと複雑なものとしては、例えば衛星放送受信機１５の特定の特性の操作に関する指示を使用者に与えたり、時間やチャンネル番号等の状態情報を提供したりする場合に、音声で情報提供を行う形式がある。
【００１８】
可聴性トーンをアンテナ構体７の位置合わせ作業の補助として使用する方法について以下に述べる。
【００１９】
アンテナ構体７は、衛星５から送られるテレビジョン信号を受信し、最適な画像及び可聴性の応答を与えるように位置決めする必要がある。位置決め操作を行うには、円盤状アンテナ９の中心線軸９Ａが正確に衛星５をさすように位置合わせすることが必要である。このため、「仰角」調整と「方位」調整の両方が必要となる。アンテナ構体７の仰角とは地平線を基準として垂直な面における軸９Ａがなす角度であり、方位とは真北の方向を基準として水平な面における軸９Ａがなす角である。アンテナ構体７の位置合わせを行うため、取り付け用器具（図示せず）は、取り付け用ポール（図示せず）に対する仰角及び方位の双方の調整ができるようになっている。
【００２０】
アンテナ構体７を設置する場合には、取り付け用器具の分度器部分を用いて受信位置の緯度に応じて仰角を設定すれば、十分正確に仰角を調整することが出来る。仰角を設定してしまえば、方位は受信位置の経度に応じてほぼ衛星５の方向にアンテナ構体を向ければ大体の設定ができる。衛星放送受信機１５に付属の取扱説明書中には種々の緯度及び経度に対する仰角及び方位角を示す表が記載されている。取り付け用ポールは水準器或いは測鉛線を用いれば簡単に地平線と垂直に設置できるので、仰角は分度器を用いて比較的正確に位置合わせできる。しかし、方位については、真北の方向を簡単に求めることができないため、正確な位置合わせが大変に難しい。
【００２１】
衛星放送受信機１５には、使用者がアンテナ構体７の方位の位置合わせを行いやすいようにするための可聴式のアンテナ位置合わせ装置が設けられている。この可聴式位置合わせ装置は、例えば、テレビジョン受像機１７のスクリーン１９に表示されたメニューからアンテナ位置合わせ動作モードを選択することによって付勢される。可聴式位置合わせ装置は、アンテナ構体の方位が最適の受信に対応する正確な方位の位置を含む例えば５°の限定範囲内にあるときにのみ一定の周波数と大きさを有する連続可聴性トーンをスピーカ２１ａ及び２１ｂから発生させる。アンテナ構体の方位がこの限定範囲内にないときは連続トーンは生じない（即ち、消音される）。また、受信信号のデジタル符号化された情報のエラー訂正が出来る選択されたチャンネルに対する同調周波数を見つけないまま衛星放送受信機１５が同調器サーチアルゴリズムを完了するごとに、トーン・バースト或いはブザー音が可聴式位置合わせ装置によって生成される。サーチアルゴリズムは、各チャンネルについての搬送波周波数が分かっている場合でもブロック変換器１１に例えば数ＭＨｚオーダの周波数エラーが生じる可能性があるため、必要である。
【００２２】
アンテナ位置合わせ動作が開始されると、同調器１５０１はマイクロプロセッサ１５２７により制御されて所定のチャンネルへの同調に適した局部発振周波数のサーチを行う。サーチアルゴリズムを行っている間、その選択されたチャンネルの公称周波数の両側にある多くの周波数に同調が試みられる。復調器１５０３によって「復調器ロック」信号が生成されると、適正な同調であることが表示される。同調が適正であると、受信信号に含まれるデジタル符号化された情報のエラーの状態がＦＥＣユニット１５０５により生成されたエラーを表示する「ＦＥＣロック」信号の検査により検査される。所定のサーチ周波数において適正な同調もエラー訂正も不可能である場合は、同調及びエラー訂正の状態は次のサーチ周波数で検査される。このようなプロセスは、全サーチ周波数の検討が終了するまで続けられる。その際、どのサーチ周波数においても適正な同調或いはエラー訂正が出来なかった場合は、アンテナ構体７が適正な受信に必要な方位の限定範囲にないことを使用者に知らせるためにトーン・バースト或いはブザー音が生成される。一方、サーチ周波数のうちのいずれかにおいて適正な同調がなされ、かつ、エラー訂正が可能な場合には、位置合わせ装置によって、アンテナ構体７が適正な受信に必要な方位の限定範囲内にあることを使用者に知らせるための連続トーンが発せられる。
【００２３】
衛星放送受信機１５に添付の取扱説明書には、使用者に対して、ブザー音が鳴った時にはアンテナ構体７を取り付けポールの周りで少しずつ、例えば３°ずつ回転させるように指示しておく。使用者には、２回ブザー音がするごとに１回（１つおきのブザー音で）アンテナ構体７を回転させるように指示しておくことが好ましい。こうすれば同調アルゴリズムが完結してからアンテナ構体７の再移動を行うことが出来るからである。（例えば、全てのサーチ周波数をサーチする同調アルゴリズムの１サイクルが完結するには３〜５秒かかる。）また、連続トーンが生じるまで少し（３°）ずつ（２回のブザー音毎に１回）アンテナ構体７を繰り返し回転させるように使用者に指示しておく。
【００２４】
連続トーンが生じたら、その連続トーンが再び生じなくなる（即ち、消音される）までアンテナ構体７を回し、その連続トーンの消えたアンテナ位置の方位を第１の境界位置としてマークするよう使用者に指示する。その後、回転の方向を反対にして第１の境界をこえて元の位置側にアンテナ構体７を回転させるように使用者に指示する。これにより、再び連続トーンが生じる。連続トーンが再び消えるまでアンテナ構体７を回し、この連続トーンの消えたアンテナ位置の方位を第２の境界位置としてマークするように使用者に指示する。２つの境界位置が決まったら、これら２つの境界位置の中間にアンテナ構体７がくるように回転させて、最適或いはほぼ最適な受信を行うための方位角を設定するように使用者に指示する。このセンタリング操作によって非常に満足すべき受信が行えることが分かった。その後、例えばメニュー選択を行うことによりアンテナ位置合わせ動作モードが終了する。
【００２５】
連続トーン及びトーン・バースト（ブザー音）を生成する方法をこれから説明する。
【００２６】
ＲＯＭ１５２９は、可聴性トーンを表すために符号化されたデジタルデータを所定のメモリ位置に記憶する。このトーン・データは伝送されたオーディオパケットのペイロード部分或いはデータ部分と同様に例えばＭＰＥＧオーディオ方式に従って圧縮された形式で記憶される。このトーン・データはヘッダ情報のないデータパケットとして記憶される。連続可聴性トーンを発生させるために、マイクロプロセッサ１５２７によってトーン・データがＲＯＭ１５２９のトーン・データメモリ位置から読み出され、かつ、移送ユニット１５０７に付属するバッファＲＡＭ１５０９のオーディオデータメモリ位置に伝送される。トーン・データが記憶される移送ＲＡＭ１５０９のオーディオデータメモリ位置は、伝送されたオーディオパケットのデータ部分が記憶されるメモリ位置と同じである。このプロセスが行われている間に、マイクロプロセッサ１５２７は、伝送されたパケットの伝送オーディオデータ部分をＲＡＭ１５０９のオーディオメモリ位置に送らぬことによりこれらの伝送オーディオデータ部分が廃棄されるようにする。
【００２７】
ＲＡＭ１５０９に記憶されたトーン・データは、伝送されたオーディオパケットのデータ部分と同様にデータ母線を介してオーディオデコーダ１５１３に送られる。また、このトーン・データは伝送されたオーディオパケットのデータ部分と同様にオーディオデコーダ１５１３によって圧縮解除される。その結果として生じる圧縮解除されたデジタルオーディオ信号は、ＤＡＣ１５１３によりアナログ信号に変換される。このアナログ信号は、連続可聴性トーンを発生させるスピーカ２１ａ及び２１ｂに供給される。
【００２８】
トーン・バースト即ちブザー音を発生させるには、マイクロプロセッサ１５２７により上記したと同じようにオーディオデコーダ１５１３にトーン・データを送るようにするが、このとき、消音制御信号を制御母線を介してオーディオデコーダ１５１３に供給するようにすることによってオーディオ応答が僅かな時間を除いて消音されるようにする。
【００２９】
上記した可聴性トーン及びトーン・バーストを生成するプロセスは、アンテナ位置合わせ操作の初めに開始することが出来る。その場合、マイクロプロセッサ１５２７は、連続トーン又はトーン・バーストのどちらか一方の発生が必要になるまで連続的な消音制御信号を発生する。
【００３０】
トーン・バースト及び連続トーンは、以下のようにして２者択一的に生成することが出来る。トーン・バーストを発生するには、マイクロプロセッサ１５２７によりトーン・データをＲＯＭ１５２９のトーン・データメモリ位置から読み出し、かつ、上記のように移送ユニット１５０７を介してオーディオデコーダ１５１３に送るようにする。また、連続トーンを発生するには、マイクロプロセッサ１５２７により周期的にトーン・データをＲＯＭ１５２９のトーン・データメモリ位置から読み出しオーディオデコーダ１５１３に送るようにする。本質的に、これによってほぼ連続した一連の短い間隔のトーン・バーストが生成される。
【００３１】
使用者向けの音声メッセージはトーンおよびトーン・バーストと同様な方法で生成される。音声メッセージを表すデータは、伝送されたオーディオパケットのデータ部分と同様に例えばＭＰＥＧオーディオ圧縮フォーマットに従って圧縮された形式でＲＯＭ１５２９に記憶される。マイクロプロセッサ１５２７による制御のもとに、新たに伝送されたオーディオパケットのデータ部分のバッファＲＡＭ１５０９のオーディオ部への記憶が中断され、ＲＡＭ１５０９オーディオ部のその時の内容が廃棄され、また、圧縮された音声データがＲＯＭ１５２９から読み出されてＲＡＭ１５０９のオーディオ部に送られる。その後、この音声データは移送ユニット１５０７とデータ母線とを介してオーディオデコーダ１５１３に送られ、このオーディオデコーダ１５１３で圧縮解除される。生成したデジタルワードのシーケンスはＤＡＣ１５２３によりアナログ形式に変換される。音声メッセージが終了した後、伝送されたオーディオパケットの通常の処理が再開される。
【００３２】
音声データはデータパケット（ヘッダのないパケット）としてＲＯＭ１５２９に記憶される。音声メッセージが短ければ、音声データのパケットの全てを一度にＲＯＭ１５２９からＲＡＭ１５０９のオーディオ部に送ることが出来る。長い音声メッセージについては、音声データのパケットを複数のセグメントに分けて送る。
【００３３】
音声メッセージデータは、ＲＯＭ１５０９に記憶されるべきデータの量を少なくするために、（ステレオ音響形式よりも）モノラル形式である方が望ましい。
ＭＰＥＧ標準方式によれば、音をＣＤ（コンパクトディスク）級のステレオ音響の音質にするには１秒あたり２５６キロビット（８ビットを１バイトとして３２キロバイト）が必要となる。モノラル音声情報については、２分の１〜１秒の音声情報を与えるのに１秒あたり４キロバイトよりも少なくてすむ。
【００３４】
音声メッセージは、指示や状態情報を与えるために種々の場合に使用出来る。
例えば、アンテナ構体７の位置合わせをしやすくするのに音声メッセージを使用してもよい。音声メッセージは、同調器１５０１又は復調器１５０３により生成される信号の強さを表す信号の状態に応じて使用者にアンテナ構体を「動かしなさい」あるいは「動かすのを止めなさい」と指示するために使用できる。また、使用者によるシステム操作エラー（「もう一度やり直しなさい」等）、操作指示（「チャンネルを選択しなさい」等）あるいはシステムの状態（「入力待機中です」等）を示すために使用者用の音声メッセージを使用することもできる。
【００３５】
この発明を一具体例を用いて説明したが、種々の変更が可能であることは理解されよう。例えば、ここでは衛星テレビジョンシステムについてこの発明を説明したが、圧縮された形式でオーディオ情報が供給される他の形式のシステムにもこの発明は応用できる。また、ＭＰＥＧオーディオ標準方式により圧縮され符号化されたオーディオ情報が供給されるシステムについてこの発明を説明したが、ＮＩＣＡＭ、Ｄｏｌｂｙ（登録商標）ＡＣ−３或いはＭＵＳＩＣＡＭ等の他の標準方式により圧縮及び符号化されたオーディオ情報が供給されるシステムにも適用できる。ＮＩＣＡＭはヨーロッパの地上テレビジョン送信に使用されるオーディオ圧縮及び符号化標準方式である。Ｄｏｌｂｙ（登録商標）ＡＣ−３圧縮標準方式は米国の地上高精細度テレビジョン（ＨＤＴＶ）用に提案されているものである。ＭＵＳＩＣＡＭはＭＰＥＧを基にした圧縮標準方式であり、米国ニュージャージ（Ｎｅｗ  Ｊｅｒｓｅｙ）州のコーポレート・コンピュータ・システムス社（Ｃｏｒｐｏｒａｔｅ  Ｃｏｍｐｕｔｅｒ  Ｓｙｓｔｅｍｓ，  Ｉｎｃ．）により１９９２年に出版された「ＣＤＱ２０００  Ｒｅｆｅｒｅｎｃｅ  Ｍａｎｕａｌ」に市販のＣＤＱ２０００エンコーダ／デコーダとともに記載されている。更に、実施例の構造的な点については個々の状態に応じて変えることが出来る。例えば、データ転送速度によってはオーディオＤＲＡＭ１５２１を使用しなくてもよいし、オーディオデコーダ及び圧縮解除ユニット１５１３中に組み込んでもよい。このような変更及びその他の変更は、各請求項により限定されたこの発明の範囲内のものである。
【図面の簡単な説明】
【図１】この発明によって構成された、可聴メッセージを与える装置を含むデジタルテレビジョンシステムの構成をブロック形式で示す図である。
【符号の説明】
１        送信機（ＸＭＴＲ）
３        送信アンテナ
５        衛星
７        アンテナ構体
１５        衛星放送受信機
１７        テレビジョン受像機
１９        画像再生装置
２１ａ、２１ｂ    音声再生装置
１５０５    エラー訂正手段（ＦＥＣ）
１５０７    移送ユニット
１５０９    バッファメモリ
１５１１    ビデオデコーダ
１５１３    オーディオデコーダ
１５１７、１５１９    ビデオ信号結合手段（テレビジョン符号器、ビデオＤ−Ａ変換器）
１５２３    オーディオ信号結合手段（オーディオＤ−Ａ変換器）
１５２７    マイクロプロセッサ
１５２９    制御メモリ
【図１】
0003699162.tif 000002